(57)【要約】【課題】患者に対して簡単に有用な医療情報を提供する。【解決手段】超音波診断装置は、画像診断により得られた医用画像と、部位情報を含むプリセット情報と、を画像管理装置に送信する（ステップＳ５）。画像管理装置は、プリセット情報から部位情報を取得し、この部位情報に関連する医療情報を検索する（ステップＳ６）。医師は、表示部に表示された検索結果のリストの中からいずれかの医療情報を選択する（ステップＳ７，Ｓ８）。次に、画像管理装置は、選択された医療情報にアクセスするためのＵＲＬ情報を２次元バーコード化し（ステップＳ９）、２次元バーコード化されたＵＲＬ情報を、超音波診断装置に送信する（ステップＳ１０）。超音波診断装置は、プリント部により、２次元バーコード画像を付けて医用画像を感熱紙上にプリントする（ステップＳ１１）。【選択図】図７
2017182244.tif 000002
【特許請求の範囲】
【請求項１】
患者の診療に係る患者診療情報を取得する取得手段と、
前記取得された患者診療情報に基づいて、当該患者診療情報に関連する医療情報を検索する検索手段と、
前記検索された医療情報にアクセスするためのＵＲＬ情報を出力する出力手段と、
を備える医療情報提供システム。
【請求項２】
前記検索手段は、外部ネットワーク上に存在する情報の中から前記医療情報を検索する請求項１に記載の医療情報提供システム。
【請求項３】
患者診療情報と当該患者診療情報に関連する医療情報にアクセスするためのＵＲＬ情報とを対応付けて記憶する記憶手段を備え、
前記検索手段は、前記取得された患者診療情報に対応付けられたＵＲＬ情報を前記記憶手段から取得することで、当該患者診療情報に関連する医療情報を検索する請求項１に記載の医療情報提供システム。
【請求項４】
前記取得手段は、前記患者診療情報として、画像生成装置から当該画像生成装置によって撮影された患者の撮影部位を示す部位情報を取得する請求項１から３のいずれか一項に記載の医療情報提供システム。
【請求項５】
前記取得手段は、前記患者診療情報として、電子カルテ装置から当該電子カルテ装置において入力された患者の傷病名を示す傷病名情報、又は、傷病に係る部位を示す部位情報を取得する請求項１から３のいずれか一項に記載の医療情報提供システム。
【請求項６】
前記出力手段は、前記ＵＲＬ情報を外部機器に送信する請求項１から５のいずれか一項に記載の医療情報提供システム。
【請求項７】
前記出力手段は、前記ＵＲＬ情報を記録媒体上に印刷する請求項１から５のいずれか一項に記載の医療情報提供システム。
【請求項８】
前記ＵＲＬ情報を符号化する符号化手段を備え、
前記出力手段は、前記符号化されたＵＲＬ情報を印刷する請求項７に記載の医療情報提供システム。
【請求項９】
前記検索された医療情報のうち、出力対象とする医療情報を選択するための選択手段を備え、
前記出力手段は、前記選択された医療情報にアクセスするためのＵＲＬ情報を出力する請求項１から８のいずれか一項に記載の医療情報提供システム。
【発明の詳細な説明】
【技術分野】
【０００１】
本発明は、医療情報提供システムに関する。
【背景技術】
【０００２】
従来、医療分野においては、患者に対して様々な画像検査が行われている。被検体で反射された超音波を受信して超音波画像を生成する超音波診断装置では、画像の診断を行う際に、医師や技師等の操作者が患者の主訴に応じて診断部位を決め、診断終了後に画像をプリントして患者に渡し、病状を説明している。
【０００３】
また、超音波診断装置において、診断画像のデータ保存サーバーにおける格納先を示すＵＲＬ（Uniform Resource Locator）情報のバーコード画像を生成し、診断画像とバーコード画像の内容を対応付けてデータ保存サーバーに格納させるとともに、診断画像とバーコード画像を印刷出力するものも提案されている（特許文献１参照）。
【先行技術文献】
【特許文献】
【０００４】
【特許文献１】特開２０１３−０００３１２号公報
【発明の概要】
【発明が解決しようとする課題】
【０００５】
しかしながら、一般的に、外来の診察時間は限られているため、医師から患者に対し、画像検査や診断内容に関連する医療情報を詳細に説明することは困難であった。
また、近年では、医療情報サービスＭｉｎｄｓ（Medical Information Network Distribution Service：マインズ）（登録商標）等によって公開されている医療情報も広く利用されている。Ｍｉｎｄｓでは、質の高い医療を目指し、患者と医療者の双方を支援するために、各種診療ガイドラインが提供されている。患者は、ＷＥＢで調べたり、病院の待合室に置かれたパンフレットを手に取ったりすれば、診療ガイドライン等の医療情報を得ることができるが、患者自らが自分に関係のある情報を選別するのは困難であり、負担が大きかった。
【０００６】
本発明は、上記の従来技術における問題に鑑みてなされたものであって、患者に対して簡単に有用な医療情報を提供することを課題とする。
【課題を解決するための手段】
【０００７】
上記課題を解決するために、請求項１に記載の発明は、患者の診療に係る患者診療情報を取得する取得手段と、前記取得された患者診療情報に基づいて、当該患者診療情報に関連する医療情報を検索する検索手段と、前記検索された医療情報にアクセスするためのＵＲＬ情報を出力する出力手段と、を備える医療情報提供システムである。
【０００８】
請求項２に記載の発明は、請求項１に記載の医療情報提供システムにおいて、前記検索手段は、外部ネットワーク上に存在する情報の中から前記医療情報を検索する。
【０００９】
請求項３に記載の発明は、請求項１に記載の医療情報提供システムにおいて、患者診療情報と当該患者診療情報に関連する医療情報にアクセスするためのＵＲＬ情報とを対応付けて記憶する記憶手段を備え、前記検索手段は、前記取得された患者診療情報に対応付けられたＵＲＬ情報を前記記憶手段から取得することで、当該患者診療情報に関連する医療情報を検索する。
【００１０】
請求項４に記載の発明は、請求項１から３のいずれか一項に記載の医療情報提供システムにおいて、前記取得手段は、前記患者診療情報として、画像生成装置から当該画像生成装置によって撮影された患者の撮影部位を示す部位情報を取得する。
【００１１】
請求項５に記載の発明は、請求項１から３のいずれか一項に記載の医療情報提供システムにおいて、前記取得手段は、前記患者診療情報として、電子カルテ装置から当該電子カルテ装置において入力された患者の傷病名を示す傷病名情報、又は、傷病に係る部位を示す部位情報を取得する。
【００１２】
請求項６に記載の発明は、請求項１から５のいずれか一項に記載の医療情報提供システムにおいて、前記出力手段は、前記ＵＲＬ情報を外部機器に送信する。
【００１３】
請求項７に記載の発明は、請求項１から５のいずれか一項に記載の医療情報提供システムにおいて、前記出力手段は、前記ＵＲＬ情報を記録媒体上に印刷する。
【００１４】
請求項８に記載の発明は、請求項７に記載の医療情報提供システムにおいて、前記ＵＲＬ情報を符号化する符号化手段を備え、前記出力手段は、前記符号化されたＵＲＬ情報を印刷する。
【００１５】
請求項９に記載の発明は、請求項１から８のいずれか一項に記載の医療情報提供システムにおいて、前記検索された医療情報のうち、出力対象とする医療情報を選択するための選択手段を備え、前記出力手段は、前記選択された医療情報にアクセスするためのＵＲＬ情報を出力する。
【発明の効果】
【００１６】
本発明によれば、患者に対して簡単に有用な医療情報を提供することができる。
【図面の簡単な説明】
【００１７】
【図１】本発明の第１の実施の形態に係る医療情報提供システムのシステム構成図である。
【図２】電子カルテ装置の構成を示す図である。
【図３】画像管理装置の構成を示す図である。
【図４】超音波診断装置の構成を示す図である。
【図５】プリセット一覧の例である。
【図６】診断部位とＵＲＬ情報とが対応付けられた対応テーブルの例である。
【図７】画像管理装置及び超音波診断装置により実行される第１の医療情報提供処理を示すラダーチャートである。
【図８】医療情報の検索結果を示すリスト画面の表示例である。
【図９】２次元バーコード画像とともに印刷された医用画像の例である。
【図１０】第２の実施の形態における撮影条件キー一覧の例である。
【図１１】画像管理装置及びＸ線撮影装置により実行される第２の医療情報提供処理を示すラダーチャートである。
【図１２】第３の実施の形態における電子カルテ装置、画像管理装置及び超音波診断装置により実行される第３の医療情報提供処理を示すラダーチャートである。
【図１３】電子カルテ画面の表示例である。
【発明を実施するための形態】
【００１８】
〔第１の実施の形態〕
まず、本発明に係る医療情報提供システムの第１の実施の形態について説明する。ただし、発明の範囲は、図示例に限定されない。
【００１９】
図１に、病院内に設けられた医療情報提供システム１００のシステム構成を示す。
図１に示すように、医療情報提供システム１００は、電子カルテ装置１０と、画像管理装置２０と、プリンター３０と、超音波診断装置４０と、Ｘ線撮影装置６０と、から構成され、各装置は、ＬＡＮ（Local Area Network）やＷＡＮ（Wide Area Network）等の通信回線からなる院内ネットワークＮを介してデータ送受信可能に接続されている。医療情報提供システム１００を構成する各装置は、ＤＩＣＯＭ（Digital Image and Communications in Medicine）規格に準じており、各装置間の通信は、ＤＩＣＯＭに則って行われる。なお、各装置の台数は、特に限定されない。
【００２０】
電子カルテ装置１０は、電子カルテ作成機能、画像ビューアー機能を有するコンピューター装置である。電子カルテ装置１０は、患者に対する診療行為や診断結果を記録した電子カルテ情報を生成する。
【００２１】
電子カルテ装置１０は、図２に示すように、制御部１１、操作部１２、表示部１３、通信部１４、記憶部１５等を備えて構成されており、各部はバス１６により接続されている。
【００２２】
制御部１１は、ＣＰＵ（Central Processing Unit）、ＲＯＭ（Read Only Memory）及びＲＡＭ（Random Access Memory）等から構成され、電子カルテ装置１０の各部の処理動作を統括的に制御する。具体的には、ＣＰＵは、操作部１２から入力される操作信号又は通信部１４により受信される指示信号に応じて、ＲＯＭに記憶されている各種処理プログラムを読み出してＲＡＭに展開し、当該プログラムとの協働により各種処理を行う。
【００２３】
操作部１２は、カーソルキー、文字・数字入力キー及び各種機能キー等を備えたキーボードと、マウス等のポインティングデバイスを備えて構成され、キーボードに対するキー操作やマウス操作により入力された操作信号を制御部１１に出力する。
【００２４】
表示部１３は、ＬＣＤ（Liquid Crystal Display）等のモニターを備えて構成されており、制御部１１から入力される表示信号の指示に従って、各種画面を表示する。
【００２５】
通信部１４は、ネットワークインターフェース等により構成され、院内ネットワークＮを介して接続された外部機器との間でデータの送受信を行う。
【００２６】
記憶部１５は、ＨＤＤ（Hard Disk Drive）や不揮発性メモリー等により構成され、各種データを記憶している。記憶部１５には、患者毎の電子カルテ情報が記憶されている。電子カルテ情報には、例えば、患者ＩＤ、患者氏名、性別、年齢、身長、体重、記入日付、体温、問診結果、診療行為、診断結果等が記述されている。
【００２７】
画像管理装置２０は、超音波診断装置４０やＸ線撮影装置６０等の画像生成装置（モダリティー）において生成された医用画像の画像データを記憶し、患者毎に管理する。画像管理装置２０としては、例えば、ＰＡＣＳ（Picture Archiving and Communication System）等が挙げられる。
【００２８】
画像管理装置２０は、図３に示すように、制御部２１、操作部２２、表示部２３、通信部２４、記憶部２５等を備えて構成されており、各部はバス２６により接続されている。
【００２９】
制御部２１は、ＣＰＵ、ＲＯＭ及びＲＡＭ等から構成され、画像管理装置２０の各部の処理動作を統括的に制御する。具体的には、ＣＰＵは、操作部２２から入力される操作信号又は通信部２４により受信される指示信号に応じて、ＲＯＭに記憶されている各種処理プログラムを読み出してＲＡＭに展開し、当該プログラムとの協働により各種処理を行う。
【００３０】
操作部２２は、カーソルキー、文字・数字入力キー及び各種機能キー等を備えたキーボードと、マウス等のポインティングデバイスを備えて構成され、キーボードに対するキー操作やマウス操作により入力された操作信号を制御部２１に出力する。
【００３１】
表示部２３は、ＬＣＤ等のモニターを備えて構成されており、制御部２１から入力される表示信号の指示に従って、各種画面を表示する。
【００３２】
通信部２４は、ネットワークインターフェース等により構成され、院内ネットワークＮやインターネット等の外部ネットワークを介して接続された外部機器との間でデータの送受信を行う。例えば、通信部２４は、超音波診断装置４０やＸ線撮影装置６０等の画像生成装置により患者を撮影して得られた医用画像の画像データを受信する。また、通信部２４は、外部機器からの画像データの取得要求に応じて、要求された画像データを当該外部機器に送信する。
【００３３】
記憶部２５は、ＨＤＤや不揮発性メモリー等により構成され、各種データを記憶している。記憶部２５には、医用画像の画像データ等が記憶されている。
【００３４】
プリンター３０は、電子カルテ装置１０や画像管理装置２０等から送信される印刷指示に応じて、画像データに基づいて用紙等の記録媒体上に印刷を行う汎用の画像形成装置である。
【００３５】
超音波診断装置４０は、超音波により、患者の内部組織の撮影画像の画像データを生成する。
超音波診断装置４０は、図４に示すように、装置本体４１、超音波探触子（プローブ）４２、ケーブル４３等を備える。装置本体４１は、ケーブル４３を介して超音波探触子４２と接続されている。超音波探触子４２は、生体等の被検体に対して超音波（送信超音波）を送信するとともに、この被検体で反射した超音波の反射波（反射超音波：エコー）を受信する。
【００３６】
装置本体４１は、制御部５１、操作入力部５２、送信部５３、受信部５４、画像生成部５５、記憶部５６、表示部５７、プリント部５８、通信部５９等を備える。
【００３７】
制御部５１は、ＣＰＵ、ＲＯＭ及びＲＡＭから構成され、超音波診断装置４０の各部の処理動作を統括的に制御する。具体的には、ＣＰＵは、ＲＯＭに記憶されている各種処理プログラムを読み出してＲＡＭに展開し、当該プログラムとの協働により各種処理を行う。
【００３８】
操作入力部５２は、押しボタンスイッチ、キーボード、マウス等を備えており、操作者の入力操作を操作信号に変換し、制御部５１に出力する。
【００３９】
送信部５３は、制御部５１の制御に従って、超音波探触子４２に供給する駆動信号を出力し、超音波探触子４２に送信超音波を発生させる。
受信部５４は、制御部５１の制御に従って、超音波探触子４２から入力された受信信号を取得する回路である。
【００４０】
画像生成部５５は、超音波の受信データに基づいて、超音波画像の画像データを生成する。この超音波画像には、輝度分布により被検体の構造を示すＢモード画像、ドップラー効果を利用して計測された血流状態等を示すＤモード画像、被検体内部の歪みの分布を示す弾性画像等が含まれる。また、超音波画像には、表示部５７に略リアルタイムで表示される画像データやその一連の動画データ、スナップショットの静止画データ等が含まれる。
【００４１】
記憶部５６は、ＨＤＤや不揮発性メモリー等により構成された記憶装置である。記憶部５６には、画像生成部５５で処理された超音波画像の画像データが記憶される。記憶部５６に記憶された画像データは、制御部５１の制御に従って読み出され、表示部５７やプリント部５８に出力されたり、通信部５９を介して超音波診断装置４０の外部に出力されたりする。
また、記憶部５６には、設定データセット（プリセット情報）が記憶されている。図５に、プリセット一覧を示す。各プリセット情報は、診断部位のグループ毎に分類されており、プリセット名（詳細部位）毎に、超音波の送受信に係る設定情報やパラメーター（例えば、送信超音波の中心周波数、被検体を検査する深度、ゲイン、送信超音波のフレーム周波数等）が予め定められている。
【００４２】
表示部５７は、ＬＣＤ、有機ＥＬ（Electro-Luminescent）ディスプレイ、無機ＥＬディスプレイ、プラズマディスプレイといった種々の表示方式のうち、いずれかを用いた表示画面とその駆動部を備える。表示部５７は、制御部５１から出力された制御信号や、画像生成部５５で生成された超音波画像の画像データに従って表示画面（各表示画素）の駆動信号を生成し、表示画面上に超音波画像、メニュー等を表示する。
【００４３】
プリント部５８は、感熱式のプリンターであり、超音波画像（医用画像）や２次元バーコード画像等を記録媒体としての感熱紙上に印刷する。
【００４４】
通信部５９は、ネットワークインターフェース等により構成され、院内ネットワークＮを介して接続された外部機器との間でデータの送受信を行う。
【００４５】
Ｘ線撮影装置６０は、患者（被検体）のＸ線撮影を行い、Ｘ線画像の画像データを生成する。Ｘ線撮影装置６０として、例えば、ＣＲ（Computed Radiography）装置、ＤＲ（Digital Radiography）装置、ＣＴ（Computed Tomography）装置が用いられる。
【００４６】
次に、第１の実施の形態における医療情報の提供方法の概要について説明する。
画像管理装置２０の制御部２１は、患者の診療に係る患者診療情報を取得する。すなわち、制御部２１は、取得手段として機能する。具体的には、制御部２１は、患者診療情報として、超音波診断装置４０から当該超音波診断装置４０によって撮影された患者の撮影部位を示す部位情報を取得する。
【００４７】
制御部２１は、取得された患者診療情報に基づいて、当該患者診療情報に関連する医療情報を検索する。すなわち、制御部２１は、検索手段として機能する。具体的には、制御部２１は、検索エンジンを利用して、外部ネットワーク上に存在する情報の中から患者診療情報に関連する医療情報を検索する。あるいは、記憶部２５に、患者診療情報と当該患者診療情報に関連する医療情報にアクセスするためのＵＲＬ情報とを対応付けた対応テーブルが記憶されており、制御部２１が、患者診療情報に対応付けられたＵＲＬ情報を記憶部２５の対応テーブルから取得することで、当該患者診療情報に関連する医療情報を検索する。
【００４８】
図６に、記憶部２５に記憶されている対応テーブルの例を示す。診断部位（患者診療情報）に対して、医療情報名と、当該医療情報にアクセスするためのＵＲＬ情報と、が対応付けられている。
【００４９】
制御部２１は、操作部２２からの操作により、検索された医療情報のうち、出力対象とする医療情報の選択を受け付ける。すなわち、操作部２２は、選択手段として機能する。
【００５０】
制御部２１は、選択された医療情報にアクセスするためのＵＲＬ情報を符号化する。すなわち、制御部２１は、符号化手段として機能する。具体的には、制御部２１は、ＵＲＬ情報を２次元バーコードに変換し、２次元バーコード画像の画像データを生成する。
制御部２１は、符号化されたＵＲＬ情報、すなわち、２次元バーコード画像の画像データを、通信部２４を介して超音波診断装置４０に送信する。
【００５１】
超音波診断装置４０の通信部５９は、画像管理装置２０から符号化されたＵＲＬ情報（２次元バーコード画像の画像データ）を受信する。
制御部５１は、プリント部５８を制御して、符号化されたＵＲＬ情報を感熱紙上に印刷させる。すなわち、プリント部５８は、出力手段として機能する。具体的には、制御部５１は、２次元バーコード画像の画像データに基づいて、医用画像に２次元バーコード画像を付加し、２次元バーコード画像付きの医用画像をプリント部５８に印刷させる。
【００５２】
次に、第１の実施の形態における動作について説明する。
図７は、画像管理装置２０及び超音波診断装置４０により実行される第１の医療情報提供処理を示すラダーチャートである。
【００５３】
まず、画像管理装置２０では、制御部２１が、超音波診断装置４０に対して検査オーダーを発行する（ステップＳ１）。検査オーダーには、患者ＩＤ、患者氏名、性別、身長、体重等が含まれる。
【００５４】
超音波診断装置４０では、通信部５９により検査オーダーを受信すると、制御部５１は、記憶部５６に記憶されているプリセット一覧（図５参照）を読み出して表示部５７に表示させ、医師や技師等の操作者に操作入力部５２からプリセットを選択させる（ステップＳ２）。具体的には、まず、制御部５１は、診断部位リストを表示部５７に表示させる。操作者が、操作入力部５２からの操作により、診断部位リストの中からいずれかの「診断部位」を選択すると、制御部５１は、選択された「診断部位」に属する「プリセット」をプリセットリストとして表示部５７に表示させる。操作者は、操作入力部５２からの操作により、プリセットリストの中からいずれかの「プリセット」を選択する。例えば、診断部位「腹部」の「肝臓」というプリセットを選択する。ここで選択されたプリセットを示すプリセット情報には、「腹部」、「肝臓」等の部位情報が含まれる。
【００５５】
次に、操作者は、患者の診断部位に超音波探触子４２を当てて、画像診断を行う（ステップＳ３）。
操作者が操作入力部５２から画像の保存を指示すると、制御部５１は、画像生成部５５により生成された医用画像を記憶部５６に保存する（ステップＳ４）。
次に、制御部５１は、医用画像及びプリセット情報を、通信部５９を介して画像管理装置２０に送信する（ステップＳ５）。
【００５６】
画像管理装置２０では、制御部２１が、超音波診断装置４０から受信した医用画像及びプリセット情報を記憶部２５に記憶させる。すなわち、制御部２１は、超音波診断装置４０から部位情報を含むプリセット情報を取得する。
【００５７】
次に、制御部２１は、プリセット情報から部位情報を取得し、この部位情報に関連する医療情報を検索する（ステップＳ６）。外部ネットワーク上に存在する情報の中から医療情報を検索する場合には、例えば、検索エンジンに対して、検索キーワードとして、「医療」＆「ガイドライン」＆「ＰＤＦ」＆「腹部」を用いることで、「腹部」に関連するガイドラインがヒットする。ここで、部位情報以外の検索キーワードは、自動的に設定されるものとする。また、「腹部」を「肘」、「膝」等と変更することによって、他の部位に対する検索も可能である。また、専用のソフトウェアを用いて、医療情報サービスＭｉｎｄｓで提供される情報のみを対象として、検索することとしてもよい。
【００５８】
次に、制御部２１は、検索結果のリストを表示部２３に表示させる（ステップＳ７）。
図８は、「脊椎」に関連する医療情報の検索結果を示すリスト画面２３１の表示例である。リスト画面２３１には、「脊椎」に関連する傷病名、医療情報名、ＵＲＬの組み合わせが複数含まれている。また、リスト画面２３１には、各医療情報（リストの各行）に対して、チェックボックスＣ１〜Ｃ３が設けられている。
【００５９】
次に、医師は、操作部２２からの操作により、検索結果のリストの中からいずれかの医療情報を選択する（ステップＳ８）。例えば、図８に示すリスト画面２３１において、チェックボックスＣ１〜Ｃ３のいずれかにチェックを入れることによって、出力対象とする医療情報を選択する。なお、複数の医療情報を選択することとしてもよい。
【００６０】
次に、制御部２１は、選択された医療情報にアクセスするためのＵＲＬ情報を２次元バーコード化する（ステップＳ９）。制御部２１は、ＵＲＬ情報を２次元バーコードに変換し、２次元バーコード画像の画像データを生成する。
次に、制御部２１は、２次元バーコード化されたＵＲＬ情報を、通信部２４を介して超音波診断装置４０に送信する（ステップＳ１０）。
【００６１】
超音波診断装置４０では、通信部５９により、画像管理装置２０から２次元バーコード化されたＵＲＬ情報を受信すると、制御部５１は、プリント部５８を制御して、２次元バーコード画像を付けて医用画像を感熱紙上にプリントさせる（ステップＳ１１）。この際、制御部５１は、２次元バーコード画像が医用画像の主要部分（診断箇所）と重ならないように配置する。
図９は、感熱紙に印刷された出力画像７０の例である。出力画像７０には、医用画像７１内に、２次元バーコード画像７２が配置されている。
以上で、第１の医療情報提供処理が終了する。
【００６２】
患者は、感熱紙にプリントされた２次元バーコード画像７２を携帯電話機やスマートフォン等のモバイル端末で読み取ることで、医療情報を閲覧することができる。
【００６３】
以上説明したように、第１の実施の形態によれば、患者の診療に係る患者診療情報に関連する医療情報にアクセスするためのＵＲＬ情報を出力するので、患者に対して簡単に有用な医療情報を提供することができる。これにより、患者は、院内に限らず医療情報を閲覧することが可能になる。また、患者診療情報に関連する医療情報を検索するので、医師が検索キーワードを入力する等の手間が不要となる。
【００６４】
また、外部ネットワーク上に存在する情報の中から患者診療情報に関連する医療情報を検索する場合には、常に最新の情報を患者に提供することができる。
一方、画像管理装置２０内に予め用意されている対応テーブルを利用して医療情報を検索する場合には、外部ネットワークとの遮断等、何らかの障害が発生しても、ある程度の情報提供を行うことができる。
【００６５】
また、画像管理装置２０において、超音波診断装置４０から当該超音波診断装置４０によって撮影された患者の撮影部位を示す部位情報を取得するので、超音波診断装置４０において撮影対象とされた部位について、確定した情報を取得することができる。
【００６６】
また、医療情報にアクセスするためのＵＲＬ情報が符号化された２次元バーコード画像を印刷するので、この２次元バーコード画像を読み取ることで、簡単にＵＲＬ情報が示す医療情報のサイトにアクセスすることができる。
【００６７】
また、医師は、検索された医療情報のうち、患者に提供すべき情報として、出力対象とする医療情報を選択することができる。
【００６８】
なお、第１の実施の形態では、超音波診断装置４０において、所定の医療情報に対応するＵＲＬ情報を２次元バーコード化した画像を印刷する場合について説明したが、印刷を行う装置はどこにあってもよい。また、第１の実施の形態では、２次元バーコード画像を医用画像とともに印刷することとしたが、２次元バーコード画像のみを印刷してもよい。
また、医用画像を生成する画像生成装置についても、超音波診断装置４０に限定されるものではない。
【００６９】
〔第２の実施の形態〕
次に、本発明を適用した第２の実施の形態について説明する。
第２の実施の形態における医療情報提供システムは、第１の実施の形態に示した医療情報提供システム１００と同様の構成であるため、図１〜図４を援用し、その構成については図示及び説明を省略する。以下、第２の実施の形態に特徴的な構成及び処理について説明する。
【００７０】
第２の実施の形態では、Ｘ線撮影装置６０としてＤＲ装置を用いた場合を例にする。Ｘ線撮影装置６０の記憶部には、撮影条件キー毎に、Ｘ線撮影装置６０の撮影時の各パラメーターが予め記憶されている。図１０に、撮影条件キー一覧を示す。撮影条件キーは、撮影部位（大分類）毎、グループ（小分類）毎に分類されている。
【００７１】
まず、第２の実施の形態における医療情報の提供方法の概要について説明する。
画像管理装置２０の制御部２１は、患者の診療に係る患者診療情報を取得する。具体的には、制御部２１は、患者診療情報として、Ｘ線撮影装置６０から当該Ｘ線撮影装置６０によって撮影された患者の撮影部位を示す部位情報を取得する。
【００７２】
制御部２１は、取得された患者診療情報に基づいて、当該患者診療情報に関連する医療情報を検索する。第１の実施の形態と同様、外部ネットワーク上に存在する情報の中から患者診療情報に関連する医療情報を検索してもよいし、予め画像管理装置２０内に用意されている対応テーブルから、患者診療情報（部位情報）に対応付けられているＵＲＬ情報を取得してもよい。
【００７３】
制御部２１は、操作部２２からの操作により、検索された医療情報のうち、出力対象とする医療情報の選択を受け付ける。
【００７４】
制御部２１は、選択された医療情報にアクセスするためのＵＲＬ情報を符号化する。具体的には、制御部２１は、ＵＲＬ情報を２次元バーコードに変換し、２次元バーコード画像の画像データを生成する。
【００７５】
制御部２１は、プリンター３０に、符号化されたＵＲＬ情報を記録媒体上に印刷させる。すなわち、プリンター３０は、出力手段として機能する。具体的には、制御部２１は、２次元バーコード化されたＵＲＬ情報をレポートに付加した画像データを生成し、プリンター３０に２次元バーコード画像付きのレポートを印刷させる。ここで、レポートは、患者に手渡す書類であればよく、医用画像に対する読影レポート、患者に対する診断内容を記した診断レポート等、内容については限定しない。
【００７６】
次に、第２の実施の形態における動作について説明する。
図１１は、画像管理装置２０及びＸ線撮影装置６０により実行される第２の医療情報提供処理を示すラダーチャートである。
【００７７】
まず、画像管理装置２０では、制御部２１が、Ｘ線撮影装置６０に対して検査オーダーを発行する（ステップＳ２１）。
【００７８】
Ｘ線撮影装置６０は、画像管理装置２０から検査オーダーを受信すると、予め記憶部に記憶されている撮影条件キー一覧（図１０参照）を表示部に表示させ、医師や技師等の操作者に撮影条件キーを選択させる（ステップＳ２２）。具体的には、操作者が撮影部位リストの中からいずれかの「撮影部位」を選択すると、選択された「撮影部位」に属する「撮影条件キー」が「グループ」毎に分類されて表示される（撮影条件キーリスト）。そして、操作者は、撮影条件キーリストの中からいずれかの「撮影条件キー」を選択する。ここで選択された撮影条件キーを示す撮影条件キー情報には、部位情報（図１０に示す「撮影部位」、「グループ」）が含まれる。
【００７９】
次に、Ｘ線撮影装置６０では、患者の部位に対し、Ｘ線撮影を行う（ステップＳ２３）。
次に、操作者が操作部から画像の保存を指示すると、Ｘ線撮影装置６０は、医用画像を記憶部に保存する（ステップＳ２４）。
次に、Ｘ線撮影装置６０は、医用画像及び撮影条件キー情報を、画像管理装置２０に送信する（ステップＳ２５）。
【００８０】
画像管理装置２０では、制御部２１が、Ｘ線撮影装置６０から受信した医用画像及び撮影条件キー情報を記憶部２５に記憶させる。すなわち、制御部２１は、Ｘ線撮影装置６０から部位情報を含む撮影条件キー情報を取得する。
【００８１】
次に、制御部２１は、撮影条件キー情報から部位情報を取得し、この部位情報に関連する医療情報を検索する（ステップＳ２６）。外部ネットワーク上に存在する情報の中から医療情報を検索する場合には、例えば、検索エンジンに対して、検索キーワードとして、「医療」＆「ガイドライン」＆「ＰＤＦ」＆「胸郭」を用いることで、「胸郭」に関連するガイドラインがヒットする。「胸郭」を「脊椎」、「上肢」等と変更することによって、他の部位に対する検索も可能である。
【００８２】
次に、制御部２１は、検索結果のリストを表示部２３に表示させる（ステップＳ２７）。
医師は、操作部２２からの操作により、検索結果のリストの中からいずれかの医療情報を選択する（ステップＳ２８）。
【００８３】
次に、制御部２１は、選択された医療情報にアクセスするためのＵＲＬ情報を２次元バーコード化する（ステップＳ２９）。制御部２１は、ＵＲＬ情報を２次元バーコードに変換し、２次元バーコード画像の画像データを生成する。
【００８４】
次に、制御部２１は、２次元バーコード画像をレポートに付加し、プリンター３０に、２次元バーコード画像が付加されたレポートを記録媒体上にプリントさせる（ステップＳ３０）。
以上で、第２の医療情報提供処理が終了する。
【００８５】
患者は、記録媒体にプリントされた２次元バーコード画像を携帯電話機やスマートフォン等のモバイル端末で読み取ることで、医療情報を閲覧することができる。
【００８６】
以上説明したように、第２の実施の形態によれば、患者の診療に係る患者診療情報に関連する医療情報にアクセスするためのＵＲＬ情報を出力するので、患者に対して簡単に有用な医療情報を提供することができる。これにより、患者は、院内に限らず医療情報を閲覧することが可能になる。また、患者診療情報に関連する医療情報を検索するので、医師が検索キーワードを入力する等の手間が不要となる。
【００８７】
また、外部ネットワーク上に存在する情報の中から患者診療情報に関連する医療情報を検索する場合には、常に最新の情報を患者に提供することができる。
一方、画像管理装置２０内に予め用意されている対応テーブルを利用して医療情報を検索する場合には、外部ネットワークとの遮断等、何らかの障害が発生しても、ある程度の情報提供を行うことができる。
【００８８】
また、画像管理装置２０において、Ｘ線撮影装置６０から当該Ｘ線撮影装置６０によって撮影された患者の撮影部位を示す部位情報を取得するので、Ｘ線撮影装置６０において撮影対象とされた部位について、確定した情報を取得することができる。
【００８９】
また、医療情報にアクセスするためのＵＲＬ情報が符号化された２次元バーコード画像を印刷するので、この２次元バーコード画像を読み取ることで、簡単にＵＲＬ情報が示す医療情報のサイトにアクセスすることができる。
【００９０】
また、医師は、検索された医療情報のうち、患者に提供すべき情報として、出力対象とする医療情報を選択することができる。
【００９１】
なお、第２の実施の形態では、画像管理装置２０からの印刷指示により、プリンター３０において、所定の医療情報に対応するＵＲＬ情報を２次元バーコード化した画像を印刷する場合について説明したが、印刷を行う装置はどこにあってもよい。また、第２の実施の形態では、２次元バーコード画像をレポートともに印刷することとしたが、２次元バーコード画像のみを印刷してもよい。
また、医用画像を生成する画像生成装置についても、Ｘ線撮影装置６０に限定されるものではない。
【００９２】
〔第３の実施の形態〕
次に、本発明を適用した第３の実施の形態について説明する。
第３の実施の形態における医療情報提供システムは、第１の実施の形態に示した医療情報提供システム１００と同様の構成であるため、図１〜図４を援用し、その構成については図示及び説明を省略する。以下、第３の実施の形態に特徴的な構成及び処理について説明する。
【００９３】
画像管理装置２０の通信部２４は、さらに、例えば、Bluetooth（登録商標）、ＮＦＣ（Near Field Communication）、Ｗｉ−Ｆｉ等の送受信用のアンテナを介して、外部機器との間で、無線通信方式によりデータ通信を行う。なお、通信方式については、例示したものに限定されない。
【００９４】
患者は、Bluetooth、ＮＦＣ、Ｗｉ−Ｆｉ等の無線通信方式によりデータ通信を行う無線通信部（画像管理装置２０の通信部２４による無線通信に対応するもの）、インターネットに接続可能な通信部等を備えるモバイル端末を所持している。
【００９５】
まず、第３の実施の形態における医療情報の提供方法の概要について説明する。
画像管理装置２０の制御部２１は、患者の診療に係る患者診療情報を取得する。具体的には、制御部２１は、患者診療情報として、電子カルテ装置１０から当該電子カルテ装置１０において入力された患者の傷病名を示す傷病名情報や、傷病に係る部位を示す部位情報を取得する。
【００９６】
制御部２１は、取得された患者診療情報に基づいて、当該患者診療情報に関連する医療情報を検索する。第１の実施の形態と同様、外部ネットワーク上に存在する情報の中から患者診療情報に関連する医療情報を検索してもよいし、予め画像管理装置２０内に用意されている対応テーブルから、患者診療情報（傷病名情報、部位情報）に対応付けられているＵＲＬ情報を取得してもよい。
【００９７】
制御部２１は、操作部２２からの操作により、検索された医療情報のうち、出力対象とする医療情報の選択を受け付ける。
【００９８】
制御部２１は、選択された医療情報にアクセスするためのＵＲＬ情報を、通信部２４を介して無線通信方式により外部機器に送信する。すなわち、制御部２１及び通信部２４は、出力手段として機能する。
【００９９】
次に、第３の実施の形態における動作について説明する。
図１２は、電子カルテ装置１０、画像管理装置２０及び超音波診断装置４０により実行される第３の医療情報提供処理を示すラダーチャートである。
【０１００】
まず、電子カルテ装置１０において、患者の受付が行われると（ステップＳ３１）、制御部１１は、画像管理装置２０に対して受け付けた患者の情報を、通信部１４を介して送信する。
【０１０１】
次に、画像管理装置２０では、制御部２１が、超音波診断装置４０に対して検査オーダーを発行する（ステップＳ３２）。
【０１０２】
超音波診断装置４０におけるステップＳ３３〜ステップＳ３６の処理は、第１の医療情報提供処理（図７参照）のステップＳ２〜ステップＳ５の処理と同様であるため、説明を省略する。
【０１０３】
次に、画像管理装置２０では、制御部２１が、超音波診断装置４０から受信した医用画像及びプリセット情報を記憶部２５に保存する（ステップＳ３７）。
【０１０４】
次に、医師は、電子カルテ装置１０が設置された診察室で、患者の診察を行う（ステップＳ３８）。この時、制御部１１は、画像管理装置２０に保存されている対象患者の医用画像を取得し、表示部１３に表示させる。
【０１０５】
また、制御部１１は、電子カルテを作成するための電子カルテ画面を表示部１３に表示させる。医師は、操作部１２から診療行為や診断結果を入力し、電子カルテを作成する（ステップＳ３９）。
【０１０６】
図１３に、電子カルテ装置１０の表示部１３に表示される電子カルテ画面１３１の表示例を示す。電子カルテ画面１３１には、ＳＯＡＰ欄８１、処方・処置欄８２、スタンプ欄８３等が含まれる。
【０１０７】
ＳＯＡＰ欄８１は、Ｓ（Subjective：患者の訴え等の主観的情報）、Ｏ（Objective：検査結果、検査画像等の客観的情報）、Ａ（Assessment：医師の診断・評価）、Ｐ（Plan：治療方針・計画）の４項目に分類されており、患者の症状や診断内容等を入力するための領域である。
処方・処置欄８２は、患者に対する処方、処置等を入力するための領域である。
【０１０８】
スタンプ欄８３には、電子カルテの入力に多用される項目がスタンプとして登録されている。例えば、所定の項目毎に分類されたタブを備え、各項目のタブが選択されると、その項目に含まれるスタンプが表示される。操作者がいずれかのスタンプをＳＯＡＰ欄８１や処方・処置欄８２へドラッグアンドドロップすると、移動先の領域にスタンプに対応する内容が追加される。
なお、スタンプ欄８３の「傷病名」タブに表示される傷病名は、予め自由に設定することができる。
【０１０９】
制御部１１は、操作部１２から入力された内容を含む電子カルテ情報を記憶部１５に記憶させる。また、制御部１１は、入力された内容を、通信部１４を介して画像管理装置２０に送信する。電子カルテ装置１０において入力された内容には、患者の傷病名を示す傷病名情報、傷病に係る部位を示す部位情報等が含まれる。図１３に示す電子カルテ画面１３１では、ＳＯＡＰ欄８１の評価欄８１Ａに、「インフルエンザ」という傷病名や、「胸部」という部位が含まれている。
【０１１０】
画像管理装置２０では、制御部２１が、電子カルテ装置１０から、電子カルテ装置１０において入力された内容（傷病名情報、部位情報等）を取得する。
【０１１１】
次に、制御部２１は、電子カルテ装置１０において入力された内容に基づいて、入力内容に含まれる傷病名情報や部位情報に関連する医療情報を検索する（ステップＳ４０）。外部ネットワーク上に存在する情報の中から検索する場合には、例えば、検索エンジンに対して、検索キーワードとして、「医療」＆「ガイドライン」＆「ＰＤＦ」＆「肝硬変」を用いることで、「肝硬変」に関連するガイドラインがヒットする。「肝硬変」を「高コレステロール血症」、「肺炎」等と変更することによって、他の傷病名に対する検索も可能である。
【０１１２】
次に、制御部２１は、検索結果のリストを表示部２３に表示させる（ステップＳ４１）。
医師は、操作部２２からの操作により、検索結果のリストの中からいずれかの医療情報を選択する（ステップＳ４２）。
【０１１３】
次に、制御部２１は、選択された医療情報にアクセスするためのＵＲＬ情報を、通信部２４を介して無線通信方式により外部に送信する（ステップＳ４３）。
【０１１４】
患者のモバイル端末は、画像管理装置２０から送信されたＵＲＬ情報を、無線通信部により受信する。患者がモバイル端末を操作することで、モバイル端末は、ＵＲＬ情報が示す医療情報にアクセスし、当該医療情報を表示する。
【０１１５】
電子カルテ装置１０では、操作部１２からの操作により、患者に対する処方・処置が記録される（ステップＳ４４）。
以上で、第３の医療情報提供処理が終了する。
【０１１６】
以上説明したように、第３の実施の形態によれば、患者の診療に係る患者診療情報に関連する医療情報にアクセスするためのＵＲＬ情報を出力するので、患者に対して簡単に有用な医療情報を提供することができる。これにより、患者は、院内に限らず医療情報を閲覧することが可能になる。また、患者診療情報に関連する医療情報を検索するので、医師が検索キーワードを入力する等の手間が不要となる。
【０１１７】
また、外部ネットワーク上に存在する情報の中から患者診療情報に関連する医療情報を検索する場合には、常に最新の情報を患者に提供することができる。
一方、画像管理装置２０内に予め用意されている対応テーブルを利用して医療情報を検索する場合には、外部ネットワークとの遮断等、何らかの障害が発生しても、ある程度の情報提供を行うことができる。
【０１１８】
また、画像管理装置２０において、電子カルテ装置１０から当該電子カルテ装置１０において入力された患者の傷病名を示す傷病名情報や、傷病に係る部位を示す部位情報を取得するので、医師の診断により得られた情報を利用して、医療情報を検索することができる。
【０１１９】
また、医療情報にアクセスするためのＵＲＬ情報を外部機器に送信するので、このＵＲＬ情報を受信した機器において、簡単にＵＲＬ情報が示す医療情報のサイトにアクセスすることができる。
【０１２０】
また、医師は、検索された医療情報のうち、患者に提供すべき情報として、出力対象とする医療情報を選択することができる。
【０１２１】
なお、上記各実施の形態における記述は、本発明に係る医療情報提供システムの例であり、これに限定されるものではない。システムを構成する各装置の細部構成及び細部動作に関しても本発明の趣旨を逸脱することのない範囲で適宜変更可能である。
【０１２２】
例えば、上記各実施の形態では、画像管理装置２０において、検索された医療情報の中から、出力対象とする医療情報を選択する場合について説明したが、医療情報を選択することなく、検索された全ての医療情報に対応するＵＲＬ情報を出力することとしてもよい。特に、画像管理装置２０内に予め用意されている対応テーブルを利用して医療情報を検索する場合等、検索結果として提示される医療情報の数が限られている場合には、医療情報を選択しなくてもよい。
【０１２３】
また、上記各実施の形態では、医療情報にアクセスするためのＵＲＬ情報や、ＵＲＬ情報を２次元バーコード化したものを出力する場合について説明したが、被ばく線量に関する資料にアクセスするためのＵＲＬ情報等を提示することとしてもよい。
【符号の説明】
【０１２４】
１０  電子カルテ装置
１１  制御部
１２  操作部
１３  表示部
１４  通信部
１５  記憶部
２０  画像管理装置
２１  制御部
２２  操作部
２３  表示部
２４  通信部
２５  記憶部
３０  プリンター
４０  超音波診断装置
４２  超音波探触子
５１  制御部
５２  操作入力部
５６  記憶部
５７  表示部
５８  プリント部
５９  通信部
６０  Ｘ線撮影装置
１００  医療情報提供システム
２３１  リスト画面
Ｎ  院内ネットワーク
【図１】
2017182244.tif 000003
【図２】
2017182244.tif 000004
【図３】
2017182244.tif 000005
【図４】
2017182244.tif 000006
【図５】
2017182244.tif 000007
【図６】
2017182244.tif 000008
【図７】
2017182244.tif 000009
【図８】
2017182244.tif 000010
【図９】
2017182244.tif 000011
【図１０】
2017182244.tif 000012
【図１１】
2017182244.tif 000013
【図１２】
2017182244.tif 000014
【図１３】
2017182244.tif 000015